(57)【要約】【課題】ボルトを用いないで足場用パイプをワンタッチで装着、固定でき、固定後は容易には鋼管パイプが脱落することがなく、所定の手順により取り外しも容易に行うことのできる吊り足場用パイプ保持具を提供する。【解決手段】ボルト穴１ａを設けた金属製の垂直バー１と、垂直バー１の下部に固着された水平バー２と、水平バー２上に固着されたＵ字状の単管受け部３ａを有する受け金具３と、受け金具３の単管受け部３ａの側部に設けられた支軸５に嵌合する、外側に斜め方向に下がった長穴を有する可動キー４とを備えた吊り足場用パイプ保持具。【選択図】  図１
0003163941.tif 000002
【実用新案登録請求の範囲】
【請求項１】
ボルト穴を設けた金属製の垂直バーと、この垂直バーの下部に固着された水平バーと、前記水平バー上に固着されたＵ字状の単管受け部を有する受け金具と、前記受け金具の単管受け部の側部に設けられた支軸に嵌合する、外側に斜め方向に下がった長穴を有する可動キーとを備え、
前記可動キーは、前記長穴の上部が前記受け金具の支軸に係止しているときに前記単管受け部の内部に装着される吊り足場用パイプの上側部に突出する突部と、当該可動キーの下部が前記支軸を中心として前記受け金具側に回動するのを阻止する回動ストッパーと、前記支軸を中心にして当該可動キーの下部を前記受け金具とは逆方向に回動したときに、前記単管受け部に装着される吊り足場用パイプの下側部に当接する当接部とを有すること
を特徴とする吊り足場用パイプ保持具。
【請求項２】
前記可動キーの下部外側には、当該可動キーを前記受け金具とは逆方向に回動操作を容易とするフック部を設けたことを特徴とする請求項１記載の吊り足場用パイプ保持具。
【請求項３】
前記当接部の前記吊り足場用パイプへの当接力は、前記長穴が係合している支軸を中心として外側にある可動キーの重心の回転モーメントによって付与されることを特徴とする請求項１または２に記載の吊り足場用パイプ保持具。
【考案の詳細な説明】
【技術分野】
【０００１】
本考案は、橋梁や高架橋の側部や底部における付帯工事あるいは補修工事等の高所作業の際に用いる吊り足場パイプ保持具に関する。
【背景技術】
【０００２】
橋梁のように下が湖水面や海面の場合や、高架橋のように地面から高い場合等には、高所作業の足場を、地面から組み立てることが困難である。そこで、従来は、橋梁等の構造物より足場チェーンを吊り下げて足場を組み立てていた。
【０００３】
例えば、特許文献１には、クランプ金具の底面部にボルトを突設すると共に、そのボルトに進退可能な凹型のチェーン係止部と締付用のナットを付設する建設工事用吊足場の手摺りパイプ取付金具が開示されており、使用に際しては、クランプ金具で手摺りパイプを取り付け、同様にして所要の間隔で吊り用チェーンに取付金具、手摺りパイプを取り付け、吊足場の通路の手摺りを構築するとともに、吊り用チェーンの下部にクランプ金具を取り付けてそのクランプ金具で足場パイプを把持し、足場パイプに足場板を載せる。
【０００４】
しかし足場チェーンは、引張力のみで圧縮力には対応しないため下から吹き上げる風荷重には対応できない。また、ＰＣコンクリート桁の場合は、アンカーボルトの打ち込みができないため非常に不安定な構造の足場となる。さらに、特許文献１の金具は吊り用チェーンの下部に取り付けたクランプ金具で足場パイプが下を向くように把持されるため、クランプ金具のネジが緩んだり締め付けが不完全であったりする場合は、足場パイプが脱落するという重大な危険性がある。
【０００５】
このような足場チェーンによる問題を解消するために、特許文献２には、金属製の上部アングルと下部アングルを溶接等で固定し、下部アングルの一部分に鋼管パイプ用クランプを取り付けたＰＣ吊り足場用ブラケットが開示されている。
【先行技術文献】
【特許文献】
【０００６】
【特許文献１】実開平６−１４３５１号公報
【特許文献２】実用新案登録第３０６４２１７号公報
【考案の概要】
【考案が解決しようとする課題】
【０００７】
前掲の特許文献２に開示されたＰＣ吊り足場用ブラケットは、上部アングルにＰＣ桁取り付け穴が設けられており、橋梁のＰＣ桁のインサート部にボルトで固定し、下部アングルの鋼管パイプ用クランプに鋼管パイプを取り付け、鋼管パイプの上に足場板を乗せることで足場を組み立てるものである。これにより、足場板を含む吊り足場全体が横揺れせず安定し、安全な作業ができる。
【０００８】
しかしながら、この特許文献２に開示されたＰＣ吊り足場用ブラケットでは、鋼管パイプ用クランプが、ボルト締め式になっており、締め方が不完全であったり緩んだりすると、鋼管パイプが長手方向に移動したり抜けたりして安全性に問題がある。また、足場設置現場では、多数のクランプを使用するので、ボルト締め作業に手間と時間が掛かり、締め忘れの可能性も高くなるとともに、工期の長期化につながる。
【０００９】
そこで本考案は、ボルトを用いないで足場用パイプをワンタッチで装着、固定でき、固定後は容易には鋼管パイプが脱落することがなく、所定の手順により取り外しも容易に行うことのできる吊り足場用パイプ保持具を提供することを目的とする。
【課題を解決するための手段】
【００１０】
前記課題を解決するため、本考案の吊り足場用パイプ保持具は、ボルト穴を設けた金属製の垂直バーと、この垂直バーの下部に固着された水平バーと、前記水平バー上に固着されたＵ字状の単管受け部を有する受け金具と、前記受け金具の単管受け部の側部に設けられた支軸に嵌合する、外側に斜め方向に下がった長穴を有する可動キーとを備え、
前記可動キーは、前記長穴の上部が前記受け金具の支軸に係止しているときに前記単管受け部の内部に装着される吊り足場用パイプの上側部に突出する突部と、当該可動キーの下部が前記支軸を中心として前記受け金具側に回動するのを阻止する回動ストッパーと、前記支軸を中心にして当該可動キーの下部を前記受け金具とは逆方向に回動したときに、前記単管受け部に装着される吊り足場用パイプの下側部に当接する当接部とを有することを特徴とする。
【００１１】
本考案においては、橋梁や高架橋等の壁面に所定間隔で埋め込まれたインサートに、垂直バーのボルト穴を合わせ、ボルトで垂直バーを固定する。垂直バーの下部には水平バーが固着されており、この水平バーの上には、Ｕ字状の単管受け部を有する受け金具が固着されている。この受け金具の側部には可動キーが長穴と支軸との係合により回動自在に取り付けられており、通常は、突部が単管受け部の内側に突出した状態で安定している。
【００１２】
足場組み立てのために、受け金具の単管受け部に足場用パイプ（円管）を上部から装着すると、単管受け部の内部に突出している突部が足場用パイプの外側に当たり、足場用パイプの自重で突部が下方に押しやられるため、足場用パイプは単管受け部の底部まで到達し、単管受け部の底部で受け止められる。その状態では、足場用パイプの上側部（直径よりも上の部分）と単管受け部の内側縁部との間に隙間が生じているので、可動キーは元の安定した状態に復帰し、突部は足場用パイプの上側部に突出した状態となる。この状態で足場用パイプを上方に抜こうとすると、突部が当たって可動キーの下部が単管受け部側に回動しようとするが、回動ストッパーがその回動を阻止するので、足場用パイプは抜けない。このようにして、足場用パイプを受け金具に取り付け、隣接する足場用パイプ間に足場板を載せて固定することで、足場が組み立てられる。
【００１３】
作業が終了して足場用パイプを受け金具から取り外す際には、可動キーの下部を手か足で操作して受け金具とは反対方向に回動させると、突部の先端は足場用パイプの上側部から水平直径部を通過して下側部に回動する。そうすると、可動キーの自重で長穴の底部が上になるように可動キーが移動し、反転した状態で、突部とは反対側の当接部が足場用パイプの下部外側に当たった状態で可動キーは止まる。その状態で足場用パイプを上に持ち上げると、足場用パイプの上方には支障物がないので、足場用パイプを単管受け部から取り外すことができる。足場用パイプの下側部に当接部が当接していた可動キーは、回動が自由状態になるので、重心が下方になるように支軸の回りに回転し、その際、長穴の上側が支軸と係止するようになり、最初の、突部が単管受け部の内側に突出した安定状態となる。
【００１４】
前記可動キーの下部外側には、当該可動キーを前記受け金具とは逆方向にフック部を設けることが好ましい。これにより、手や足での回動操作が容易となり、足場撤収作業を短時間で、楽に行うことができる。
前記当接部の前記吊り足場用パイプへの当接力は、前記長穴が係合している支軸を中心として外側にある可動キーの重心の回転モーメントによって付与されるようにすることが好ましい。これにより、バネ等の他の手段を用いることなく、当接力の付与を行うことができ、構造を簡素化できる。
【考案の効果】
【００１５】
本考案によれば、ボルト穴を設けた金属製の垂直バーと、この垂直バーの下部に固着された水平バーと、水平バー上に固着されたＵ字状の単管受け部を有する受け金具と、受け金具の単管受け部の側部に設けられた支軸に嵌合する、外側に斜め方向に下がった長穴を有する可動キーとを備え、可動キーは、長穴の上部が受け金具の支軸に係止しているときに単管受け部の内部に装着される吊り足場用パイプの上側部に突出する突部と、可動キーの下部が支軸を中心として受け金具側に回動するのを阻止する回動ストッパーと、支軸を中心にして可動キーの下部を受け金具とは逆方向に回動したときに、単管受け部に装着される吊り足場用パイプの下側部に当接する当接部とを有する構成としたことにより、ボルトを用いないで足場用パイプをワンタッチで装着、固定でき、固定後は容易には鋼管パイプが脱落することがなく、所定の手順により取り外しも容易に行うことができる。
【図面の簡単な説明】
【００１６】
【図１】本考案の実施の形態に係る吊り足場用パイプ保持具を示すものであり、（ａ）は正面図、（ｂ）は側面図、（ｃ）は平面図である。
【図２】本考案の実施の形態に係る吊り足場用パイプ保持具の受け金具と可動キーを示すものであり、（ａ）は正面図、（ｂ）は側面図、（ｃ）は平面図である。
【図３】本考案の実施の形態に係る吊り足場用パイプ保持具の受け金具と可動キーの動作説明図である。
【図４】本考案の実施の形態に係る吊り足場用パイプ保持具を用いた足場施工例を示すものであり、（ａ）は正面図、（ｂ）は側面図、（ｃ）は平面図である。
【考案を実施するための形態】
【００１７】
以下、本考案の実施の形態を、図面を用いて説明する。
本考案の実施の形態に係る吊り足場用パイプ保持具は、図１に示すように、複数のボルト穴１ａを設けた金属製の垂直バー１と、この垂直バー１の下部に固着された水平バー２と、水平バー２上に固着されたＵ字状の単管受け部３ａを有する受け金具３と、厚手の鉄板製の可動キー４とからなっている。
【００１８】
図２に詳細に示すように、受け金具３は、Ｕ字状の単管受け部３ａを形成する第１起立部３ｂと第２起立部３ｃとを有しており、それぞれの上部には本例では４５度の傾斜部３ｄ，３ｅが形成されていて、吊り足場用パイプ（以下単に「パイプ」と言うことがある。）Ｐを単管受け部３ａ内に案内するようになっている。単管受け部３ａの底部３ｆはコ字状にカットされており、単管受け部３ａの曲率半径がパイプＰの外径よりも大きくても、パイプＰが単管受け部３ａ内で揺れ動かないようにしている。
【００１９】
第２起立部３ｃの上部には、支軸５を長穴４ａに挿通することにより可動キー４が回動自在に取り付けられている。この長穴４ａは、受け金具３より見て外側に斜め方向に下がった方向が長手方向となっている。
【００２０】
可動キー４は、長穴４ａの上部が受け金具３の支軸５に係止しているときに単管受け部３ａの内部に装着されるパイプＰの上側部に突出する突部４ｂと、可動キー４の下部が支軸５を中心として受け金具３側に回動するのを阻止する回動ストッパー４ｃと、支軸５を中心にして可動キー４の下部を受け金具３とは逆方向に回動したときに、パイプＰの下側部に当接する当接部４ｄとを有する。また、可動キー４の下部外側には、フック部４ｅが設けられている。
【００２１】
次に、図３を用いて、パイプＰが保持される状態を説明する。まず、パイプＰを装着する前は、図２（ａ）においてパイプＰが無い状態であり、支軸５が可動キー４の長穴４ａの上部にあり、回動ストッパー４ｃが第２起立部３ｃの外側に当接し、突部４ｂが単管受け部３ａの内側に突出した状態となっている。可動キー４の重心は、支軸５に対して外側にあるようになっているので、図２（ａ）の状態が可動キー４の安定状態である。
【００２２】
図３（ａ）に示すようにパイプＰを単管受け部３ａの上部から置こうとすると、可動キー４の突部４ｂがパイプＰに当たるが、可動キー４は図面上、反時計方向には自由に回動するので、突部４ｂを押して可動キー４を回動させながらパイプＰは単管受け部３ａ内に導入される。
【００２３】
図３（ｂ）に示すように、パイプＰが完全に単管受け部３ａ内に収納されると、可動キー４の突部４ｂはパイプＰから離れるため、可動キー４の自重により元の安定状態の位置に戻る。この状態からパイプＰを上に抜こうとすると、突部４ｂがパイプＰの上方に当たって、可動キー４を図面上、時計方向に回動させようとする力が働くが、可動キー４の回動ストッパー４ｃが第２起立部３ｃの外側に当接していてそれ以上回動できないため、パイプＰは上方に抜けることができない。これにより、不用意にパイプＰが抜けることを阻止することができる。
【００２４】
工事が終わってパイプＰを撤収する際には、図３（ｂ）の一点鎖線に示すように手または足でフック部４ｅを上方に起こすことにより、突部４ｂはパイプＰの上方から水平方向を通過し、図３（ｃ）に示すように反転した状態となる。この状態では、長穴４ａの上下が入れ替わって、可動キー４全体が長穴４ａの長さ分ほど移動し、当接部４ｄがパイプＰの側部に当接した状態となる。パイプＰと当接部４ｄとの当接力は、支軸５を支点とし、可動キー４の重心を力点とする回転モーメントによって働く。
【００２５】
図３（ｃ）の状態からパイプＰを上方に抜くと、パイプＰが抜ける支障となるものは無いので、容易に抜くことができる。パイプＰが抜けると、当接部４ｄが当接する相手がなくなるので、可動キー４は図面上、時計方向に回動し、図２（ａ）の安定状態の位置に復帰する。
【００２６】
このようにして、パイプＰを一度受け金具３に装着すれば、ボルト締めなどの操作をすることなく、可動キー４の作用によりパイプＰが自然に、あるいは不用意に抜けることがない。パイプＰを取り外す際は、可動キー４を重力に反して反転させる動作だけで済み、従来のようにボルトを弛めるなどの時間が掛かる作業が不要となる。
【００２７】
図４は、本考案の吊り足場用パイプ保持具Ａを用いた吊り足場施工例を示すものである。桁部材１０の外壁に埋め込まれたインサートに吊り足場用パイプ保持具Ａをボルト締めで固定し、受け金具３にパイプＰをセットする。なお、パイプＰの水平方向の移動を阻止するために、パイプの端部はボルトで固定することが望ましい。次いでパイプＰの上に足場板１１を載せて固定する。これにより、桁部材１０近傍で行う付帯工事を安全に行うことができる。
【産業上の利用可能性】
【００２８】
本考案の吊り足場用パイプ保持具は、ボルトを用いないで足場用パイプをワンタッチで装着、固定でき、固定後は容易には鋼管パイプが脱落することがなく、所定の手順により取り外しも容易に行うことができるため、橋梁、高架橋等の吊り足場に好適に利用することができる。
【符号の説明】
【００２９】
Ａ  吊り足場用パイプ保持具
Ｐ  吊り足場用パイプ（パイプ）
１  垂直バー
１ａ  ボルト穴
２  水平バー
３  受け金具
３ａ  単管受け部
３ｂ  第１起立部
３ｃ  第２起立部
３ｄ，３ｅ  傾斜部
４  可動キー
４ａ  長穴
４ｂ  突部
４ｃ  回動ストッパー
４ｄ  当接部
４ｅ  フック部
５  支軸
１０  桁
１１  足場板
【図１】
0003163941.tif 000003
【図２】
0003163941.tif 000004
【図３】
0003163941.tif 000005
【図４】
0003163941.tif 000006